(57)【特許請求の範囲】
【請求項１】
腰部および左，右上脚部を有し、本体部の左，右上脚部に、下方に延びる左，右下脚部をそれぞれ連結した外衣と内衣とを備え、前記外衣内に内衣を着脱可能に装着した防火服のズボンにおいて、
前記外衣及び内衣の各本体部は、それぞれ左，右前身頃に左，右後身頃を縫い付け、かつ左，右後身頃を互いに縫い付けて、脚曲げ余裕部を形成し、左，右前身頃と左，右後身頃との下部によって筒状に形成した左，右上脚部に筒状の左，右下脚部をそれぞれ連結し、連結部の前部に膝曲げ余裕部がそれぞれ形成されていることを特徴とする防火服のズボン。
【請求項２】
外衣の本体部の上端部外周に腰部のほぼ全周を包む縫い付け式の腰ベルトを設けたことを特徴とする請求項１に記載の防火服のズボン。
【請求項３】
外衣の後部上方に背当てを突出させ、外衣の本体部の前部に左，右突起部を上方に突出させ、吊りベルトの左，右縦ベルトの後端部を前記背当ての左，右上端部に着脱可能に連結し、左，右取り付けベルトの左，右端部を前記左，右突起部にそれぞれ着脱可能に連結して左，右取り付けベルトを倒立Ｖ字状に形成した頂部に、前記左，右縦ベルトの前部を掛けて折り返し、左，右縦ベルトの先端部を、左，右縦ベルトに嵌めた左，右止め環によって緊弛可能に保持させたことを特徴とする請求項１または２に記載の防火服のズボン。
【請求項４】
腰部および左，右上脚部を有し、本体部の左，右上脚部に、下方に延びる左，右下脚部をそれぞれ連結し単層式あるいは複層式の生地によって形成した外衣からなる防火服のズボンにおいて、
外衣の本体部は、左，右前身頃に左，右後身頃を縫い付け、かつ左，右後身頃を互いに縫い付けて、脚曲げ余裕部を形成し、左，右前身頃と左，右後身頃との下部によって筒状に形成した左，右上脚部に筒状の左，右下脚部をそれぞれ連結し、連結部の前部に膝曲げ余裕部をそれぞれ形成していることを特徴とする防火服のズボン。
【発明の詳細な説明】
【０００１】
【産業上の利用分野】
この発明は、消防隊員などが一般火災の消火活動時などに着用する防火服のズボンに関するものである。
【０００２】
【従来の技術】
従来、防火服のズボンとして、腰部および左，右上脚部を覆う本体部の左，右上脚部に、下方に延びる左，右下脚部をそれぞれ連結した外衣と内衣とを備え、前記外衣内に内衣を着脱可能に装着したもの、或いは、単層式あるいは複層式の生地によって形成した外衣のみからなるものがあった。
そして、外衣は難燃性の布の縫製品であり、内衣は表布と裏布との間に不織布などの芯材を介在させてキルテイング加工したものが広く用いられている。
【０００３】
【発明が解決しようとする課題】
しかし、従来の防火服のズボンは、外衣のみの場合は勿論、外衣および内衣を着脱可能に重ねて使用する場合においても、外衣および内衣の本体部を左，右身頃を縫い付けて構成していたので、外衣の剛性が比較的大きく、また内衣が厚いこともあって、消防隊員が一般火災の現場などで活動する際に脚部および膝部を自由に動かしにくく、屈伸運動がスムーズに行えないという問題点があった。
そこで、外衣および内衣の左，右上脚部の股部に襠布を介在させて縫い付けることが行われているが、これによっても臀部に充分な余裕ができず、脚部を曲げたり屈伸運動をする動作がほとんど向上しなかった。
【０００４】
この発明は、前述した問題点を解決して、脚部および膝部を曲げやすく、これらを自由に動かすことで屈伸運動をスムーズに行うことができ、また迅速に着用できる、防火服のズボンを提供することなどを目的としている。
【０００５】
【課題を解決するための手段】
請求項１に係る発明は、腰部および左，右上脚部を有し、本体部の左，右上脚部に、下方に延びる左，右下脚部をそれぞれ連結した外衣と内衣とを備え、前記外衣内に内衣を着脱可能に装着した防火服のズボンにおいて、  前記外衣及び内衣の各本体部は、それぞれ左，右前身頃に左，右後身頃を縫い付け、かつ左，右後身頃を互いに縫い付けて、脚曲げ余裕部を形成し、左，右前身頃と左，右後身頃との下部によって筒状に形成した左，右上脚部に筒状の左，右下脚部をそれぞれ連結し、連結部の前部に膝曲げ余裕部がそれぞれ形成されたものである。
【０００６】
請求項２の発明は、請求項１の防火服のズボンにおいて、外衣の本体部の上端部外周に腰部のほぼ全周を包む縫い付け式の腰ベルトを設けたものである。
【０００７】
請求項３の発明は、請求項１または２の防火服のズボンにおいて、外衣の後部上方に背当てを突出させ、外衣の本体部の前部に左，右突起部を上方に突出させ、吊りベルトの左，右縦ベルトの後端部を前記背当ての左，右上端部に着脱可能に連結し、左，右取り付けベルトの左，右端部を前記左，右突起部にそれぞれ着脱可能に連結して左，右取り付けベルトを倒立Ｖ字状に形成した頂部に、前記左，右縦ベルトの前部を掛けて折り返し、左，右縦ベルトの先端部を、左，右縦ベルトに嵌めた左，右止め環によって緊弛可能に保持させたものである。
【０００８】
請求項４の発明は、腰部および左，右上脚部を有し、本体部の左，右上脚部に、下方に延びる左，右下脚部をそれぞれ連結し単層式あるいは複層式の生地によって形成した外衣からなる防火服のズボンにおいて、外衣の本体部は、左，右前身頃に左，右後身頃を縫い付け、かつ左，右後身頃を互いに縫い付けて、脚曲げ余裕部を形成し、左，右前身頃と左，右後身頃との下部によって筒状に形成した左，右上脚部に筒状の左，右下脚部をそれぞれ連結し、連結部の前部に膝曲げ余裕部がそれぞれ形成されたものである。
【０００９】
【作用】
請求項１の発明に係る防火服のズボンは、外衣１及び内衣の各本体部は、左，右前身頃と左，右後身頃との４つの部分でそれぞれ構成し、外，内衣の左，右前身頃に左，右後身頃を縫い付け、かつ左，右後身頃を縫い付けて連結することで、着用者が腰部から脚を前方に曲げたり、左，右に開いたりする動作がしやすい脚曲げ余裕部を外，内衣にそれぞれ形成できる。
【００１０】
また、外，内衣の左，右前身頃と左，右後身頃とによって筒状に形成した左，右上脚部に筒状の左，右下脚部をそれぞれ連結することで、連結部の前部に膝を曲げる動作がしやすい膝曲げ余裕部を形成できる。
従って、外衣の剛性が比較的大きく、内衣の厚さが厚くても、前記脚曲げ余裕部および膝曲げ余裕部によって脚および膝を自由に動かす屈伸運動をスムーズに行うことができる。
【００１１】
請求項２の発明は、外衣の本体部の上端部外周に縫い付け式の腰ベルトを設けたので、腰ベルトが本体部の周方向に不本意に変位したり、本体部から外れたりすることがなく、着用時に腰ベルトによって腰部のほぼ全周を包んで、腰部を締め付けることが容易にでき、ズボンを迅速に着用できる。
なお、後述する実施例のように、腰ベルトのベルト本体を外衣の本体部の後部に固着し、左，右前部ベルトを本体部の左，右前身頃の前面中央部に固着し、左，右前部ベルトを、ベルト本体の左，右前端部にズボンの非着用時には左，右前部ベルトを弛めて保持し、これらをズボンの着用時に引っ張って締め付けるようにすることで、腰ベルトの締め付け動作が素早くできて好ましい。
【００１２】
請求項３の発明は、外衣の後部上方に背当てを突出させたので、着用者の腰部、または腰部と背面下部とを消火活動時に保護でき、とくに外上衣の後身頃に下方に突出する垂れ布部を設けた消火服の上衣と併用すると、垂れ布部と背当てとが重なり、着用者が活動中に重量物を肩に担ぐ時などに腰部を保護できる。
また、外衣の本体部の前部に左，右突起部を上方に突出させ、これらに吊りベルトの左，右取り付けベルトの左，右端部をそれぞれ着脱可能に連結したので、吊りベルトの前端部が前記腰ベルトの上方に離れ、これらが干渉しないことで、吊りベルトと腰ベルトの操作がしやすい。
【００１３】
そして、吊りベルトの左，右縦ベルトの後端部を前記背当ての左，右上端部に着脱可能に連結し、前述したように左，右取り付けベルトの左，右端部を前記左，右突起部に着脱可能に連結して、左，右取り付けベルトを倒立Ｖ字状に形成し、これらの頂部に左，右縦ベルトの前部を掛けたので、左，右縦ベルトを着用者の左，右肩部に掛けた状態で、左，右縦ベルトに上方への引っ張り力が加わっても、それぞれ２分されて左，右取り付けベルトから左，右突起部に力が作用するので、左，右取り付けベルトの左，右端部や左，右突起部が破損する恐れがなく、安定して使用できる。
【００１４】
さらに、左，右取り付けベルトの倒立Ｖ字状の頂部に左，右縦ベルトの前部を掛けて上方に折り返し、これらの先端部を左，右縦ベルトに嵌めた左，右止め環によって保持させたので、これらの止め環を着用者の胸部に位置させて、弛めた状態の左，右縦ベルトを締め付けることが容易にしかも迅速にできる。従って、着用時における腰ベルト、吊りベルトの締め付け操作が素早くできる。
【００１５】
請求項４の発明に係る防火服のズボンは、請求項１の発明の内衣を省略したので、構成を簡単にできる。
【００１６】
【実施例】
以下、この発明の一実施例につき図を参照して説明する。
図１，図２および図３に示すように、外衣１は、腰部および左，右上脚部を覆う本体部２を、幅が広い左，右前身頃３と幅が狭い左，右後身頃４とによって構成し、左，右前身頃３と左，右後身頃４との対向側縁部をそれぞれ縫い付け、かつ左，右後身頃４の対向縁部を縫い付けて連結し、さらに左，右前身頃３の縦方向中間部の対向縁部を縫い付けて筒状の左，右上脚部２ａを形成し、これらの上方に連なる身頃部２ｂの臀部に脚曲げ余裕部５を形成してある。
【００１７】
また、左，右下脚部６は、左，右下脚布７の両側縁部を縫い付けて筒状に形成し、筒状の左，右上脚部２ａの下脚部に左，右下脚布７の上縁部をそれぞれ縫い付けて連結することで、連結部の前側に膝曲げ余裕部８を形成してあり、筒状に形成した左，右下脚布７の下縁部には筒状の裾布９の上縁部を連結してある。
外衣１の本体部２の身頃部２ｂに形成した前合せ部の右側部には持ち出し部２ｃを突出させ、前合せ部の左側には持ち出し見返し１０を連結し、この見返し１０の裏面と持ち出し部２ｃの表面とを、縦方向に長いベルベット式ファスナー１１の雌，雄帯状片１１ａ，１１ｂによって開閉可能に係合保持してある。
【００１８】
前記持ち出し見返し１０の裏面取付部と、持ち出し部２ｃの表面上端部には、止め具（鍵形フック）２３の雌部材と雄部材とを対向して固定し、これを係脱可能に係合するようにしてある。
【００１９】
外衣１の本体部２の上端部には、内周面に沿って見返し１２の上縁部を縫い付け、見返し１２の左，右端を前合せ部の近くに配置し、図５にも示すように、見返し１２の左，右両側前部には、これと本体部２との間に左，右当て布１３を設け、これらの両端部にゴム紐１４の両端部を固着して本体部２の上端部の左，右側部にこれらに多数の襞を有する伸縮部１２ａを設けることで、本体部２上端部の左，右側部を伸縮可能にしてある。
【００２０】
本体部２の上端部外面の後部中央には、図６にも示すように、腰ベルト１５のベルト本体１６中央部を固着し、ベルト本体１６の左，右前端部に設けたループ部１６ａに、前，後Ｄ型環１７ａ，１７ｂをそれぞれ嵌めて保持させ、本体部２の上端部の左，右前部に腰ベルト１５の左，右前部ベルト１８の中央側基端部をそれぞれ固定し、左，右前部ベルト１８の先端部を、ベルト本体１６のループ部１６ａに嵌めた前，後Ｄ型環１７ａ，１７ｂに前方から後方に通して前方に折り返し、後Ｄ型環１７ｂの外周を迂回させ、前Ｄ型環１７ａに再び通して前方に引き出すことで、本体部２上端部の左，右側部に設けた襞付き部の長さを短くし、着用者の腰部を、そのほぼ全周を包んで締め付け可能にしてある。また、本体部２の左，右前身頃３の上後部の外面にはベルト本体１６を位置決めするベルト通しループ部２２ａを設けてある。
【００２１】
外衣１の本体部２には、後述する吊りベルト１９取り付け用の左，右突起部２０を左，右前身頃３の前部上にそれぞれ突出させ、本体部２の後部には、左，右後身頃４から左，右前身頃３の後端部にわたり、これらの上方に突出する背当て２１を連結してある。
なお、左，右下脚布７の裾布９に近い下端部など、外衣１外面の適宜の部位に反射シート２２を縫い付けてある。
【００２２】
また、外衣１を構成する、左，右前身頃３、左，右後身頃４、左，右下脚布７、持ち出し見返し１０、見返し１２、ループ部２２ａ、左，右突起部２０、腰背当て２１、裾布９は、アラミド繊維などの難燃性の織布で形成してある。
図８，図９は、外衣１の脚曲げ余裕部５と、膝曲げ余裕部８とを説明する要部の背面斜視図および正面斜視図である。
【００２３】
外衣１の内側に重ねて嵌める内衣２４は、図１，図３および図４に示すように、本体部２５が左，右前身頃２６と左，右後身頃２７とを、前述した外衣の本体部と同様に縫い付けることで、筒状の左，右上脚部２５ａの上方に連なる身頃部２５ｂの後側に脚曲げ余裕部２８を形成してある。
また、左，右下脚部２９は、外衣の左，右下脚布と同様に筒状に形成し、本体部２５の筒状の左，右上脚部２５ａの下縁部に左，右下脚部２９の上縁部をそれぞれ縫い付けて連結し、連結部の前側に膝曲げ余裕部３０を形成してある。
【００２４】
外衣１の本体部２および左，右下脚部６と、内衣２４の本体部２５および左，右下脚部２９とは、ほぼ相似で、外衣１よりも内衣２４を若干小さくしてある。  内衣２４の本体部２５および左，右下脚部２９を外衣１の本体部２および左，右下脚部６内にそれぞれ嵌めて重ねると共に、内衣２４を外衣１に対し着脱可能にしてある。
【００２５】
すなわち、内衣２４の本体部２５の上端部に所要間隔で固定した多数の円形止め具（円形ホック）３１の雄部材と、これらと対向して外衣１の見返し１２に固定した円形止め具３１の雌部材とを、見返し１２と外衣１の本体部２との間で、係脱可能に係合させると共に、内衣２４の左，右下脚部２９の周方向の複数箇所に適宜の間隔で固定した円形止め具３２の雄部材と、これらと対向して外衣１の左，右下脚部６の下端部に平紐３３で連結した円形止め具３２の雌部材とを、係脱可能に係合させることで、内衣２４を外衣１に着脱可能に固定してある。
【００２６】
なお、平紐３３の先端部に止め具３２の雌部材を固定し、平紐３３の基端部を、外衣１の左，右下脚部６と左，右裾布９との縫い付け時に、これらの間に挾んで縫い付けることが好ましい。
そして、内衣２４を構成する左，右前身頃２６、左，右後身頃２７、左，右下脚部２９は、表，裏布２４ａ，２４ｂ間に不織布、網状体などの芯材２４ｃを介在させてキルティング加工してある。
【００２７】
また、外衣１の背当て２１の内面にも、表，裏布間に不織布、網状体などの芯材を介在させてキルティング加工した内衣と同様な構成の内布４４を縫い付けてある。
さらに、内衣２４の本体部２５の上縁部、前合せ縁部、および左，右下脚部２９の下縁部には、布製の縁保護テープ３４を横断面コ字状に縫い付けてある。
【００２８】
前記吊りベルト１９は、図２，図７にも示すように、前方に延びる左，右縦ベルト３５の後端部に革などからなる後補強片３６を固定し、後補強片３６には係合孔３６ａと係合孔３６ａの外周から前方に延びる切り込み３６ｂとをそれぞれ形成し、左，右縦ベルト３５の後部を横ベルト３７によって連結し、左，右縦ベルト３５の前部には横杆３８ａで環状部３８ｂ内を前後に仕切った止め環３８を嵌めてある。
【００２９】
左，右取り付けベルト３９は、左，右両端部に革などからなる前補強片４０を固定し、前補強片４０には係合孔４０ａと係合孔４０ａの外周から中央側に延びる切り込み４０ｂとをそれぞれ形成し、左，右取り付けベルト３９の中央部には、横杆４１ａで環状部４１ｂ内を前後に仕切った掛け環４１をそれぞれ嵌めてある。
【００３０】
前記背当て２１の左，右上隅部には、円形の左，右後止め具４２をそれぞれ固定し、前記左，右突起部２０には、円形の左，右前止め具４３をそれぞれ固定してあり、後，前止め具４２，４３は金属製で外面に大径部を突出させてある。
そして、背当て２１に設けた左，右後止め具４２に、左，右縦ベルト３５の後端部に設けた係合孔３６ａをそれぞれ取り外し可能に係合させると共に、左，右突起部２０にそれぞれ設けた左，右前止め具４３に、左，右取り付けベルト３９の両端部に設けた係合孔４０ａをそれぞれ取り外し可能に係合させ、左，右取り付けベルト３９の中央部を掛け環４１の下部孔に嵌めて、左，右取り付けベルト３９を倒立Ｖ字状にしておく。
【００３１】
この状態で、左，右縦ベルト３５を、ズボンの着用者の後部から上方に延ばして左，右肩部を迂回させ、着用者の前部を下降させ、図７に示すように、左，右止め環３８の内側から外側に出し、横杆３８ａに掛けて再び内側に出して下降させ、左，右掛け環４１の上部孔に内側から通して外側に出し、これらの掛け環４１に掛け、上方に折り返して左，右止め環３８の内側から横杆３８ａの外側に掛け、さらに下側に折り返して引っ張ることで、この実施例のズボンを着用者が左，右両肩に支持して吊るようにしてある。
【００３２】
なお、腰ベルト１５のベルト本体１６、左，右前部ベルト１８、および吊りベルト１９の左，右縦ベルト３５、横ベルト３７、左，右取り付けベルト３９は伸びがほとんどなく、強度が大きい織物などの平ベルトによって構成してある。
【００３３】
前述した実施例の防火服のズボンは、腰ベルト１５の左，右前部ベルト１８、および吊りベルト１９の左，右縦ベルト３５を弛め、ベルベット式ファスナー１１の雌，雄帯状片を開いた状態にして、非着用状態にしておく。
【００３４】
前記ズボンを着用するには、外衣１内に着脱可能に装着してある内衣２４の本体部２５内に着用者が足から入れ、内衣２４の左，右下脚部２９、左，右上脚部２５ａに、着用者の左，右脚を嵌め、身頃部２５ｂによって着用者の腰部を覆う。
【００３５】
そして、吊りベルト１９の左，右縦ベルト３５の前後方向中間部を着用者の左，右肩部に掛け、左，右縦ベルト３５の先端部を引っ張り、これらの前部が掛けてある左，右取り付けベルト３９の倒立Ｖ字状の頂部を引き上げ、左，右縦ベルト３５および左，右取り付けベルト３９を、後止め具４２および前止め具４３間で緊張させ、左，右縦ベルト３５の先端部を左，右止め環３８によって締め付け保持する。
【００３６】
また、腰ベルト１５の左，右前部ベルト１８の先端部を引っ張り、これらが掛けてある後Ｄ型環１７ｂを介してベルト本体１６の左，右端部を引っ張ることで、外衣１の本体部２の上端部を、多数の襞が形成してある左，右側部を短縮させて、本体部２の上端部を小径にし、左，右前部ベルト１８の先端部をベルト本体１６の左，右前端部に設けた前，後Ｄ型環１７ａ，１７ｂによって、係合保持させ、左，右前部ベルト１８の前端固着部とベルト本体１６の後側固着部との間で、腰ベルト１５を緊張させた状態に締め付け保持する。
【００３７】
さらに、本体部２の持ち出し部２ｃおよび持ち出し見返し１０とを重ね、これらをベルベット式ファスナー１１を閉じ、止め具２３を係合させて閉状態に保持する。
この状態で消火活動を行い、活動を行った後は、腰ベルト１５、吊りベルト１９を弛めると共に、ベルベット式ファスナー１１を開き、止め具２３の係合を外し、ズボンを脱ぐ。
【００３８】
その後、内衣２４と外衣１との上端部に設けた円形止め具３１の雄部材と雌部材との係合を外し、かつ外衣１，内衣２４の左，右下脚部６、左，右下脚部２９の下端部に設けた円形止め具３２の雌部材、雄部材の係合を外して、外衣１から内衣２４を外し、これらが濡れている場合には乾燥させ、汚れている場合にも洗った後に乾燥させ、その後外衣１に内衣２４を取り付けておく。
【００３９】
この実施例による防火服のズボンは、外，内衣１，２４の各本体部２，２５を、左，右前身頃３，２６と左，右後身頃４，２７との４つの部分でそれぞれ構成し、外，内衣１，２４の左，右前身頃３，２６に左，右後身頃４，２７を縫い付け、かつ左後身頃４，２７と右後身頃４，２７とを連結することで、着用者が腰から脚を前方に曲げたり、左，右脚を開いたりする動作がしやすい脚曲げ余裕部８，３０を外，内衣１，２４にそれぞれ形成できる。
【００４０】
また、外，内衣１，２４の左，右前身頃３，２６と左，右後身頃４，２７とによってそれぞれ筒状に形成した左，右上脚部２ａ，２５ａに、筒状の左，右下脚部６，２９をそれぞれ連結することで、連結部の前部に膝を曲げる動作がしやすい膝曲げ余裕部８，３０をそれぞれ形成できる。
従って、外衣１の剛性が比較的大きく、内衣２４の厚さが厚くても、前記脚曲げ余裕部５，２８および膝曲げ余裕部８，３０によって、脚および膝を自由に動かすことができる。
【００４１】
また、外衣１の本体部２の上端部外周に縫い付け式の腰ベルト１５を設けたので、腰ベルト１５が本体部２の周方向に不本意に変位したり、本体部２から外れたりすることがなく、着用時に腰ベルト１５によって腰部のほぼ全周を包んで、腰部を締め付けることが容易にでき、ズボンを迅速に着用できる。
【００４２】
そして、この実施例では、腰ベルト１５のベルト本体１６を外衣１の本体部２の後部に固着し、左，右前部ベルト１８を本体部２の左，右前身頃３の前面中央部にそれぞれ固着し、左，右前部ベルト８を、ベルト本体１６の左，右前端部に非着用時には緩めて保持し、着用時に引っ張って締め付けるようにしたので、腰ベルト１５の締め付け動作が素早くでき、本体部２上端の左，右両側に多数の襞がある伸縮部１２ａを設けたこともあって、ズボンの着用がしやすい。
【００４３】
さらに、外衣１の後部上方に背当て２１を突出させたので、着用者の腰部、または腰部と背面下部とを消火活動時に保護でき、とくに外上衣の後身頃に下方に突出する垂れ布部を設けた消火服の上衣と併用すると、垂れ布部と背当て２１とが重なるので、着用者が活動中に重量物を肩に担ぐ時などに腰部を保護できる。
【００４４】
外衣１の本体部２の前部に左，右突起部２０を上方に突出させ、これらに吊りベルト１９の左，右取り付けベルト３９の左，右端部をそれぞれ着脱可能に連結したので、吊りベルト１９の前端部が腰ベルト１５の上方に離れ、これが干渉しないことで、吊りベルト１９と腰ベルト１５の操作がしやすい。
【００４５】
吊りベルト１９の左，右縦ベルト３５の後端部を背当て２１の左，右上端部に着脱可能に連結し、かつ左，右取り付けベルト３９の左，右端部を左，右突起部２０に着脱可能に連結して、左，右取り付けベルト３９を倒立Ｖ字状に形成し、これらの頂部に設けた掛け環４１を介して左，右縦ベルト３５の前部を掛けたので、左，右縦ベルト３５を着用者の左，右肩部に掛けた状態で、左，右縦ベルト３５に上方への引っ張り力が加わっても、それぞれ２分されて左，右取り付けベルト３９から左，右突起部２０に力が作用するので、左，右取り付けベルト３９の左，右端部や左，右突起部２０が破損する恐れがなく、安定して使用できる。
【００４６】
左，右取り付けベルト３９の倒立Ｖ字状の頂部に左，右縦ベルト３５の前部を掛けて上方に折り返し、これらの先端部を左，右縦ベルト３５に嵌めた左，右止め環３８によって保持させたので、止め環３８を着用者の胸部に位置させて、弛めた状態の左，右縦ベルト３５を締め付けることが、容易にしかも迅速できる。
【００４７】
この発明において、外衣に内衣を着脱する部材は、ファスナー、ベルベット式ファスナーと円形止め具との併用などにしてもよく、外衣の本体部の持ち出し部と持ち出し見返しとを開閉可能にする部材は、ファスナーなどにしてもよい。
【００４８】
この発明において、外衣または内衣の膝曲げ余裕部や、背当てには適宜のパッドなどを入れてもよい。
そして、内衣を構成する左，右前身頃、左，右後身頃、左，右下脚部などは、表，裏布間の芯材を網状体にすると軽量にできて好ましい。
【００４９】
この発明において、内衣を外衣に着脱可能に装着するための円形止め具などの部材を省略し、また、単層式の生地で縫製した外衣のみでズボンを構成し、その構成を簡略してもよいが、この場合には、本体部、前，後身頃、脚部などの主要な部材を、前記実施例の外衣に用いたものと同様な難燃性の表布の裏面に、前記実施例の内衣を用いたものと同様な芯材と裏布とを重ねてキルティングした複層式の生地によって縫製したものによって構成することが好ましい。
【００５０】
【発明の効果】
以上説明したように、請求項１に係る防火服のズボンは、外衣及び内衣の各本体部は、それぞれ左，右前身頃と左，右後身頃との４つの部分でそれぞれ構成され、外，内衣の左，右前身頃に左，右後身頃を縫い付け、かつ左，右後身頃を縫い付けて連結することで、着用者が腰部から脚を前方に曲げたり、左，右に開いたりする動作がしやすい脚曲げ余裕部を外，内衣にそれぞれ形成できる。
【００５１】
また、外衣及び内衣のそれぞれの左，右前身頃と左，右後身頃とによって筒状に形成した左，右上脚部に筒状の左，右下脚部をそれぞれ連結することで、連結部の前部に膝を曲げる動作がしやすい膝曲げ余裕部をそれぞれ形成できる。
従って、外衣の剛性が比較的大きく、内衣の厚さが厚くても、前記脚曲げ余裕部および膝曲げ余裕部によって脚および膝を自由に動かすことができると共に、屈伸運動がスムーズに行うことができる。
【００５２】
請求項２の発明は、外衣の本体部の上端部外周に縫い付け式の腰ベルトを設けたので、腰ベルトが本体部の周方向に不本意に変位したり、本体部から外れたりすることがなく、着用時に腰ベルトによって腰部のほぼ全周を包んで、腰部を締め付けることが容易にでき、ズボンを迅速に着用できる。
なお、腰ベルトのベルト本体を外衣の本体部の後部に固着し、左，右前部ベルトを本体部の左，右前身頃の前面中央部に固着し、左，右前部ベルトを、ベルト本体の左，右前端部にズボンの非着用時には左，右前部ベルトを弛めて保持し、これらをズボンの着用時に引っ張って締め付けるようにすることで、腰ベルトの締め付け動作が素早くできて好ましい。
【００５３】
請求項３の発明は、外衣の後部上方に背当てを突出させたので、着用者の腰部、または腰部と背面下部とを消火活動時に保護でき、とくに外上衣の後身頃に下方に突出する垂れ布部を設けた消火服の上衣と併用すると、垂れ布部と背当てとが重なり、着用者が活動中に重量物を肩に担ぐ時などに腰部を保護できる。
また、外衣の本体部の前部に左，右突起部を上方に突出させ、これらに吊りベルトの左，右取り付けベルトの左，右端部をそれぞれ着脱可能に連結したので、吊りベルトの前端部が前記腰ベルトの上方に離れ、これらが干渉しないことで、吊りベルトと腰ベルトの操作がしやすい。
【００５４】
そして、吊りベルトの左，右縦ベルトの後端部を前記背当ての左，右上端部に着脱可能に連結し、前述したように左，右取り付けベルトの左，右端部を前記左，右突起部に着脱可能に連結して、左，右取り付けベルトを倒立Ｖ字状に形成し、これらの頂部に左，右縦ベルトの前部を掛けたので、左，右縦ベルトを着用者の左，右肩部に掛けた状態で、左，右縦ベルトに上方への引っ張り力が加わっても、それぞれ２分されて左，右取り付けベルトから左，右突起部に力が作用するので、左，右取り付けベルトの左，右端部や左，右突起部が破損する恐れがなく、安定して使用できる。
【００５５】
さらに、左，右取り付けベルトの倒立Ｖ字状の頂部に左，右縦ベルトの前部を掛けて上方に折り返し、これらの先端部を左，右縦ベルトに嵌めた左，右止め環によって保持させたので、これらの止め環を着用者の胸部に位置させて、弛めた状態の左，右縦ベルトを締め付けることが容易にしかも迅速にできる。従って、着用時における腰ベルト、吊りベルトの締め付け操作が素早くできる。
【００５６】
請求項４の発明に係る防火服のズボンは、請求項１の発明の内衣を省略したので、構成を簡単にできる。
【図面の簡単な説明】
【図１】この発明の一実施例に係る防火服のズボンを示した一部切り欠き正面図。
【図２】図１に示した防火服のズボンの背面図。
【図３】図１に示した防火服のズボン上部の説明図。
【図４】図１に示した内衣の一部切り欠き正面説明図。
【図５】図１に示した外衣の襞付き伸縮部の部分説明図。
【図６】図１に示した腰ベルトの部分説明図。
【図７】図１に示した吊りベルトの部分説明図。
【図８】図１に示した外衣の脚曲げ余裕部および膝曲げ余裕部を示す要部背面斜視図。
【図９】図１に示した外衣の脚曲げ余裕部および膝曲げ余裕部を示す要部正面斜視図。
【符号の説明】
１    外衣
２    本体部
２ａ  上脚部
３    前身頃
４    後身頃
５    脚曲げ余裕部
６    下脚部
７    下脚布
８    膝曲げ余裕部
９    裾布
１０    持ち出し見返し
１１    ベルベット式ファスナー
１２    見返し
１３    当て布
１４    ゴム紐
１５    腰ベルト
１６    ベルト本体
１７ａ  前Ｄ型環
１７ｂ  後Ｄ型環
１８    前部ベルト
１９    吊りベルト
２０    突起部
２１    背当て
２２    反射シート
２３    円形止め具
２４    円衣
２５    本体部
２５ｂ  上脚部
２６    前身頃
２７    後身頃
２８    脚曲げ余裕部
２９    下脚部
３０    膝曲げ余裕部
３１    円形止め具
３２    円形止め具
３３    平紐
３４    縁保護テープ
３５    縦ベルト
３６    後補強片
３７    横ベルト
３８    止め環
３９    取り付けベルト
４０    前補強片
４１    掛け環
４２    後止め具
４３    前止め具
４４    内布
【図１】
0003622268.tif 000002
【図２】
0003622268.tif 000003
【図３】
0003622268.tif 000004
【図４】
0003622268.tif 000005
【図５】
0003622268.tif 000006
【図６】
0003622268.tif 000007
【図７】
0003622268.tif 000008
【図８】
0003622268.tif 000009
【図９】
0003622268.tif 000010